(57)【特許請求の範囲】
【請求項１】
軒樋の長手方向に対して短尺な軒樋用化粧部材であって、軒樋は前後壁の上端縁に形成された前耳と、後耳とを有し、軒樋吊具は鼻隠し板に取り付けられる固定板と、固定板の屋外側に突出して設けられた吊具本体とよりなり、軒樋用化粧部材の一端は、吊具本体の先端に保持された軒樋の前耳に係止可能になされ、軒樋用化粧部材の他端は、固定板に係止可能になされることにより軒樋吊具により保持された軒樋の下面を含む外周面側に取り付けられることを特徴とする軒樋用化粧部材。
【請求項２】
軒樋の長手方向に対して短尺な軒樋用化粧部材であって、軒樋は前後壁の上端縁に形成された前耳と、後耳とを有し、軒樋吊具は鼻隠し板に取り付けられる固定板と、固定板の屋外側に突出して設けられた吊具本体とよりなり、軒樋用化粧部材の一端は、吊具本体の先端に保持された軒樋の前耳を覆った状態で吊具本体の先端側に係止可能になされ、軒樋用化粧部材の他端は、固定板に係止可能になされることにより軒樋吊具により保持された軒樋の下面を含む外周面側に取り付けられることを特徴とする軒樋用化粧部材。
【発明の詳細な説明】
【０００１】
【発明の属する技術分野】
本発明は、軒樋の外周面側に取り付けられる短尺な軒樋用化粧部材に関する。
【０００２】
【従来の技術】
従来から軒樋は、例えば、鼻隠し板に取り付けられる固定板と、固定板の屋外側に突出して設けられた吊具本体とよりなる軒樋吊具により保持されて取り付けられている。
【０００３】
【発明が解決しようとする課題】
しかしながら、上記軒樋吊具により取り付けられた従来の軒樋は、軒樋の外形が限られているので意匠性に乏しく、軒樋の外観を向上しようとするに問題であった。
【０００４】
本発明は、上述の従来の技術における問題を解決するためになされたものであって、本発明の目的は、軒樋の外周面側に取り付け、軒樋の外観を向上させることができる軒樋用化粧部材を提供することである。
【０００５】
本発明は、上記目的を達成するためになされたものであって、請求項１記載の発明は、軒樋の長手方向に対して短尺な軒樋用化粧部材であって、軒樋は前後壁の上端縁に形成された前耳と、後耳とを有し、軒樋吊具は鼻隠し板に取り付けられる固定板と、固定板の屋外側に突出して設けられた吊具本体とよりなり、軒樋用化粧部材の一端は、吊具本体の先端に保持された軒樋の前耳に係止可能になされ、軒樋用化粧部材の他端は、固定板に係止可能になされることにより軒樋吊具により保持された軒樋の下面を含む外周面側に取り付けられるものである。
【０００６】
請求項２記載の発明は、軒樋の長手方向に対して短尺な軒樋用化粧部材であって、軒樋は前後壁の上端縁に形成された前耳と、後耳とを有し、軒樋吊具は鼻隠し板に取り付けられる固定板と、固定板の屋外側に突出して設けられた吊具本体とよりなり、軒樋用化粧部材の一端は、吊具本体の先端に保持された軒樋の前耳を覆った状態で吊具本体の先端側に係止可能になされ、軒樋用化粧部材の他端は、固定板に係止可能になされることにより軒樋吊具により保持された軒樋の下面を含む外周面側に取り付けられるものである。
【０００７】
本発明の化粧部材は、形状や色が特に制限されるものでなく、意匠面からいろんな装飾部材を取り付けたり、色模様を形成してもよい。また、化粧部材の外側面に、例えば、家紋等を軒下から見える位置に取り付けたものであってもよい。
【０００８】
（作用）
請求項１又は２に記載の発明によれば、軒樋吊具により保持された軒樋の下面を含む外周面側に、軒樋の長さに対して短尺の、つまり幅の狭い軒樋用化粧部材が取り付けられているので、軒樋の外観を向上させることができる。すなわち、建物の軒先に軒樋吊具により保持されて配設される軒樋の外周面の一部が軒樋用化粧部材にて覆われて化粧されることで、軒先の見栄えは向上する。
【０００９】
請求項１記載の化粧部材は、一端が吊具本体の先端に保持された軒樋の前耳に係止可能になされ、他端が固定板に係止可能になされているので、化粧部材を軒樋と軒樋吊具に確実に、且つ、容易に取り付けることができる。
【００１０】
請求項２記載の化粧部材は、一端が吊具本体の先端に保持された軒樋の前耳を覆った状態で吊具本体の先端側に係止可能になされ、他端が固定板に係止可能になされているので、化粧部材を軒樋吊具に確実に、且つ、容易に取り付けることができる。
【００１１】
【発明の実施の形態】
以下、本発明の実施の形態を図面を参照しながら説明する。
図１と図２は、本発明の一実施例であって、図１は化粧部材の斜視図、図２は図１の化粧部材の使用状態を示す説明図である。
図３と図４は、本発明の別の実施例であって、図３は化粧部材の斜視図、図４は図３の化粧部材の使用状態を示す説明図である。
図１〜図４において、１、１Ａは化粧部材、１１は部材本体、１２は装飾体、１３、１３Ａは嵌着部、１４は係止片、２は軒樋吊具、２１は固定板、２２は吊具本体、２３は前耳保持部、２４は後耳保持部、２５は係合部、３は軒樋、３１は底壁、３２は前壁、３３は後壁、３４は前耳、３５は後耳である。
【００１２】
まず、本発明の一実施例を図１と図２を参照して説明する。
本発明に係る化粧部材（軒樋用化粧部材）１は、軒樋吊具２により保持された軒樋３の外周面側に取り付けられるものであって、短尺、つまり幅の狭いものである。化粧部材１と軒樋吊具２はいずれもポリカーボネートで形成され、軒樋３は硬質塩化ビニル樹脂で形成されている。
【００１３】
化粧部材１は、図１および図２に示すとおり、軒樋３の外周形状と略同じになされた部材本体１１の下方に、装飾体１２が一体に設けられ、部材本体１１の屋外側の端部に逆Ｌ字形状の嵌着部１３が内側に向かって形成され、嵌着部１３は後述する軒樋３の前耳３４に嵌着して係止可能になされている。また、部材本体１１の屋内側の端部に突出した係止片１４が形成され、この係止片１４は後述する軒樋吊具２の固定板２１に形成されている係合部２５に嵌着されて係止可能になされている。
【００１４】
軒樋吊具２は、鼻隠し板に取り付けられる固定板２１と、固定板２１の屋外側に突出して設けられた吊具本体２２とよりなっている。吊具本体２２の屋外側先端には、後述する軒樋３の前耳３４を保持する前耳保持部２３が設けられ、前耳保持部２３より屋内側に後耳３５を保持する後耳保持部２４が固定板２１から突出して設けられている。
【００１５】
軒樋３は、底板３１と、底板３１の両側縁から立設された前壁３２と、後壁３３とよりなり、前壁３２と後壁３３のそれぞれの上端縁には、前耳３４と後耳３５が形成されている。
【００１６】
つぎに、上述の化粧部材１の取付方法を説明しながら、本実施例の作用を述べる。
まず、軒樋吊具２の固定板２１を図示省略の鼻隠し板の所定位置に釘等で固定して取り付ける。ついで、軒樋３の後耳３５を後耳保持部２４に下方から挿入して保持したのち、軒樋３の前耳３４を前耳保持部２３に上方に持ち上げながら保持する。このように軒樋吊具２に軒樋３を取り付けたのち、化粧部材１の係止片１４を固定板２１に形成された係合部２５に嵌着し、化粧部材１の部材本体１１の上面を軒樋３の外周面に沿わせて、嵌着部１３を吊具本体２２の先端に保持された軒樋３の前耳３４に嵌着して係止する。
【００１７】
すると、軒樋吊具２により保持された軒樋３の外周面側の一部、つまり軒樋３を保持している軒樋吊具２が位置している部分の軒樋３の下面を含む外周面側に化粧部材１が取り付けられているので、軒樋３の外観を向上させることができる。
【００１８】
また、本実施例の化粧部材１は、一端が吊具本体２２の先端に保持された軒樋３の前耳３４に係止可能になされ、他端が固定板２１に係止可能になされているので、化粧部材１を軒樋３と軒樋吊具２に確実に、且つ、容易に取り付けることができる。
【００１９】
つぎに、本発明の別の実施例を図３と図４を参照して説明する。
本実施例に示す化粧部材１Ａは、部材本体１１の屋外側の端部に設けられている嵌着部１３Ａのみが、前記第一実施例と異なり、他は同じになされている。従って、異なるところだけ別符号を付けて説明し、同じところについては説明を省略するものとする。
【００２０】
上記嵌着部１３Ａは、図３に示すように、吊具本体２２の先端側に係止可能な挟み形状になされている。化粧部材１Ａは、前記実施例の化粧部材１と同様にして取り付けられるが、図４に示すように、嵌着部１３Ａを吊具本体２２の先端部に挟持して取り付けたのち、係止片１４を嵌合部２５に押し込んで取り付けるとよい。
【００２１】
すると、第一実施例と同様、軒樋吊具２により保持された軒樋３の外周面側の一部、つまり軒樋３を保持している軒樋吊具２が位置している部分の軒樋３の下面を含む外周面側に化粧部材１Ａが取り付けられているので、軒樋３の外観を向上させることができる。
【００２２】
また、本実施例の化粧部材１Ａは、一端が吊具本体２２の先端側に係止可能になされ、他端が固定板２１に係止可能になされているので、化粧部材１Ａを軒樋吊具２に確実に、且つ、容易に取り付けることができる。
【００２３】
【発明の効果】
請求項１又は２に記載の発明によれば、軒樋吊具により保持された軒樋の外周面側に、軒樋の長さに対して短尺の、つまり幅の狭い軒樋用化粧部材が取り付けられているので、軒樋の外観を向上させることができる。すなわち、建物の軒先に軒樋吊具により保持されて配設される軒樋の外周面の一部が軒樋用化粧部材にて覆われて化粧されることで、軒先の見栄えは向上する。このように、軒樋の外周面側の一部に取り付けることで、軒樋の外観を向上させることができる軒樋用化粧部材を提供することができる。
【００２４】
請求項１記載の化粧部材は、一端が吊具本体の先端に保持された軒樋の前耳に係止可能になされ、他端が固定板に係止可能になされているので、化粧部材を軒樋と軒樋吊具に確実に、且つ、容易に取り付けることができる。
【００２５】
請求項２記載の化粧部材は、一端が吊具本体の先端側に係止可能になされ、他端が固定板に係止可能になされているので、化粧部材を軒樋吊具に確実に、且つ、容易に取り付けることができる。
【図面の簡単な説明】
【図１】本発明の一実施例であって、化粧部材の斜視図である。
【図２】図１の化粧部材の使用状態を示す説明図である。
【図３】本発明の別の実施例であって、化粧部材の斜視図である。
【図４】図３の化粧部材の使用状態を示す説明図である。
【符号の説明】
１、１Ａ      化粧部材
１３、１３Ａ  嵌着部
１４          係止片
２            軒樋吊具
２１          固定板
２２          吊具本体
２５          係合部
３            軒樋
３２          前壁
３３          後壁
３４          前耳
３５          後耳
【図１】
0003730707.tif 000002
【図２】
0003730707.tif 000003
【図３】
0003730707.tif 000004
【図４】
0003730707.tif 000005